(57)【特許請求の範囲】
【請求項１】
副画面用の映像信号を入力とし、該映像信号に対して、表示領域を縮小するための縮小処理を行い、該縮小処理した副画面用映像信号を出力する副画面処理用集積回路と、
主画面用の映像信号と、前記副画面処理用集積回路が出力する副画面用映像信号とを入力として、主画面の表示領域では主画面用映像信号を選択し、前記表示領域を縮小した副画面の表示領域では、前記縮小処理した副画面用映像信号を選択して出力する切換手段、前記切換手段が出力する映像信号をディジタル映像信号に変換するアナログディジタル変換手段、及び該アナログディジタル変換手段の出力するディジタル映像信号に対してディジタル信号処理を行うディジタル信号処理手段を備えた主画面処理用集積回路とを備えたことを特徴とする映像信号処理装置。
【請求項２】
請求項１に記載の映像信号処理装置において、
前記ディジタル信号処理手段の出力に対し、前記主画面と副画面との境界に所定幅の境界線を挿入する処理を行うボーダー挿入手段を備えたことを特徴とする映像信号処理装置。
【請求項３】
請求項２に記載の映像信号処理装置において、
前記ボーダー挿入手段は、前記切換手段を制御する制御信号に基づいて、境界線を挿入することを特徴とする映像信号処理装置。
【請求項４】
請求項１に記載の映像信号処理装置において、
前記主画面用の映像信号が、S端子から入力される映像信号であることを特徴とする映像信号処理装置。
【請求項５】
請求項１に記載の映像信号処理装置において、
前記主画面用の映像信号が、コンポーネント映像信号であることを特徴とする映像信号処理装置。
【請求項６】
請求項１に記載の映像信号処理装置において、
前記ディジタル信号処理手段が、画質調整手段を含むことを特徴とする映像信号処理装置。
【請求項７】
請求項１に記載の映像信号処理装置において、
前記副画面処理用集積回路は、前記副画面映像信号を副画面輝度信号と副画面色差信号とに分離する副画面YC分離手段と、該副画面YC分離手段により分離された副画面色差信号を副画面輝度信号に対して遅延させる遅延差制御手段とを備えていることを特徴とする映像信号処理装置。
【請求項８】
請求項７に記載の映像信号処理装置において、
前記主画面処理用集積回路は、前記アナログディジタル変換手段とディジタル信号処理手段との間に、ラインメモリを用いて、前記アナログディジタル変換手段から出力される処理対象となるラインの前後の１ラインの映像データから、演算により該対象となるラインの映像データのYC分離処理を行うYC分離手段を備えており、
前記遅延差制御手段は、前記副画面色差信号を前記副画面輝度信号に対して１ライン期間遅延させて出力することを特徴とする映像信号処理装置。
【請求項９】
副画面用の映像信号を入力とし、該映像信号に対して、表示領域を縮小するための縮小処理を行い、該縮小処理した副画面用映像信号を出力する副画面処理用集積回路と、
主画面用の映像信号と、前記副画面処理用集積回路が出力する副画面用映像信号とを入力として、主画面の表示領域では主画面用映像信号を選択し、前記表示領域を縮小した副画面の表示領域では、前記縮小処理した副画面用映像信号を選択して出力する切換手段、及び該切換手段の出力に対し、前記主画面と副画面との境界に所定幅の境界線を挿入する処理を行うボーダー挿入手段を備えた主画面処理用集積回路とを備えたことを特徴とする映像信号処理装置。
【発明の詳細な説明】
【０００１】
【発明が属する技術分野】
本発明は画面中に複数の映像信号を表示する場合に用いる映像信号処理装置に関するものである。
【０００２】
【従来の技術】
近年、テレビジョン受像機において複数の入力映像信号を同時に画面に表示する機会が増えてきており、映像信号を表示する際にディジタル信号処理技術が利用されるようになってきた。また、半導体プロセスの微細化に伴い、大規模回路が半導体集積回路の中に含まれるようになってきた。
【０００３】
図７は特開平７−１１５６００号公報に開示された従来の主画面内に副画面を表示する機能を備えたテレビジョン受像機の構成を示すブロック図であり、以下、図７を用いて従来のテレビジョン受像機の構成及び動作について説明する。
【０００４】
主チューナ７０１と副チューナ７０２とは、アンテナ７２５で受信した放送波の中から所定の放送波を選択的に受信する。主チューナ７０１で選択された放送波に対応する主画面用のコンポジット映像信号Ｓ７０１は、ＹＣ分離回路７０３により輝度信号Ｓ７０３と色信号Ｓ７０４とに分離される。色信号Ｓ７０４は色復調回路７０４に入力され、色差信号であるＵ信号Ｓ７０５とＶ信号Ｓ７０６に復調される。輝度信号Ｓ７０３、Ｕ信号Ｓ７０５、Ｖ信号Ｓ７０６はＲＧＢマトリクス回路７０６に入力され、主画面用のＲ信号Ｓ７０７、Ｇ信号Ｓ７０８、Ｂ信号Ｓ７０９が生成される。同期分離回路７０５は主画面用のコンポジット映像信号Ｓ７０１より水平および垂直同期信号を分離し、水平、垂直周期の基準パルスＳ７１０を生成する。水平、垂直周期の基準パルスＳ７１０は２画面制御回路７０７に入力され、主画面映像と副画面映像とを切り換えるためのスイッチ７２１、７２２、７２３を制御できる主副切換信号Ｓ７１１を生成する。
【０００５】
一方、副チューナ７０２で選択された放送波に対応する副画面用のコンポジット映像信号Ｓ７０２は、ＹＣ分離回路７０８により輝度信号Ｓ７１２と色信号Ｓ７１３とに分離される。輝度信号Ｓ７１２はアナログディジタル変換器（以下、Ａ／Ｄ変換器と称す）７１０によりアナログからディジタル輝度信号Ｓ７１４に変換され、ローパスフィルタ７１２により圧縮処理時における折り返し歪みの発生を防止するために垂直・水平方向の帯域が落とされ、ローパスフィルタ７１２から得られた輝度信号Ｓ７１６がメモリ７１４に書きこまれる。Ｃ信号Ｓ７１３は、同様にＡ／Ｄ変換器７１１によりアナログからディジタル色信号Ｓ７１５に変換され、ローパスフィルタ７１３により垂直・水平方向の帯域が落とされ、色信号Ｓ７１７としてメモリ７１５に書きこまれる。同期分離回路７０９は主画面用のコンポジット映像信号Ｓ７０２より水平および垂直同期信号を分離し、水平、垂直周期の基準パルスＳ７２７を生成する。メモリ制御回路７２０は、基準パルスＳ７２７に基づいて、メモリ７１５への書き込み動作を制御し、基準パルスＳ７１０に基づいてメモリ７１５への読み出し動作を制御する。メモリ７１４から読み出された輝度信号Ｓ７１８は、ディジタルアナログ変換器（以下、Ｄ／Ａ変換器と称す）７１６によりディジタルからアナログの輝度信号Ｓ７２０へ変換される。メモリ７１５から読み出された色信号Ｓ７１９は、Ｄ／Ａ変換器７１７によりディジタルからアナログの色信号Ｓ７２１へ変換され、色復調回路７１８により色差信号であるＵ信号Ｓ７２２とＶ信号Ｓ７２３に復調される。輝度信号Ｓ７２０、Ｕ信号Ｓ７２２、Ｖ信号Ｓ７２３はＲＧＢマトリクス回路７１９により、副画面用のＲ信号Ｓ７２４、Ｇ信号Ｓ７２５、Ｂ信号Ｓ７２６を生成される。切換信号Ｓ７１１により主画面用のＲ信号Ｓ７０７、Ｇ信号Ｓ７０８、Ｂ信号Ｓ７０９と副画面用のＲ信号Ｓ７２４、Ｇ信号Ｓ７２５、Ｂ信号Ｓ７２６が、主画面内の所定の領域に副画面が表示されるよう切り換えられ、この結果として得られる合成Ｒ信号Ｓ７２９、合成Ｇ信号Ｓ７３０、合成Ｂ信号Ｓ７３１がモニタ７２４に出力される。
【０００６】
【発明が解決しようとする課題】
しかしながら、上記従来のテレビジョン受信機では、主画面用にアナログ処理のＹＣ分離回路７０３、同期分離回路７０５、色復調回路７０４とマトリクス回路７０６が、また、副画面用にはアナログ処理のＹＣ分離回路７０８、同期分離回路７０５、色復調回路７１８、及びマトリクス回路７１９、並びにディジタル処理のための半導体部品としてフィルタ７１２、７１３及びメモリ７１４，７１５が必要であり、信号処理用の半導体部品点数が多く、それだけ周辺回路も多くなり、回路規模が大きいという問題点があった。
【０００７】
また、温度特性等の特性にばらつきが生じやすいアナログ処理回路を多く用いているため、製品全体の特性にばらつきが生じやすく、製造工場での調整も難しいという問題点もあった。
【０００８】
また、上記の従来の技術のように、主画面用の信号処理回路を、副画面を挿入しないテレビ受像機にも利用可能な、副画面用の信号処理回路とは独立した汎用性のある回路とすることが、製品化を図る上で好ましいが、例えば、主画面用の信号処理回路と、副画面用の信号処理回路とをそれぞれ独立した集積回路として作製すると、互いに共用が可能な回路を備えていたとしても、その回路を共用することは難しく、この結果、回路の共有による映像信号処理装置全体の回路規模の縮小を図ることが難しいという問題点があった。
【０００９】
本発明は上記のような問題点を解決するためになされたものであり、主信画面用映像信号と副画面用映像信号とをひとつの画面内に表示できるよう合成するとともに、回路規模の縮小化を図ることができる、主画面用映像信号を信号処理する集積回路と副画面用映像信号を信号処理する集積回路とを備えた映像信号処理装置を提供することを目的とする。
【００１０】
【課題を解決するための手段】
この発明に係る映像信号処理装置は、副画面用の映像信号を入力とし、該映像信号に対して、表示領域を縮小するための縮小処理を行い、該縮小処理した副画面用映像信号を出力する副画面処理用集積回路と、主画面用の映像信号と、前記副画面処理用集積回路が出力する副画面用映像信号とを入力として、主画面の表示領域では主画面用映像信号を選択し、前記表示領域を縮小した副画面の表示領域では、前記縮小処理した副画面用映像信号を選択して出力する切換手段、前記切換手段が出力する映像信号をディジタル映像信号に変換するアナログディジタル変換手段、及び該アナログディジタル変換手段の出力するディジタル映像信号に対してディジタル信号処理を行うディジタル信号処理手段を備えた主画面処理用集積回路とを備えるようにしたものである。
【００１１】
また、前記ディジタル信号処理手段の出力に対し、前記主画面と副画面との境界に所定幅の境界線を挿入する処理を行うボーダー挿入手段を備えるようにしたものである。
【００１２】
また、前記ボーダー挿入手段が、前記切換手段を制御する制御信号に基づいて、境界線を挿入するようにしたものである。
【００１３】
また、前記主画面用の映像信号を、S端子から入力される映像信号としたものである。
【００１４】
また、前記主画面用の映像信号を、コンポーネント映像信号としたものである。
【００１５】
また、前記ディジタル信号処理手段が、画質調整手段を含むようにしたものである。
【００１６】
また、前記副画面処理用集積回路が、前記副画面映像信号を副画面輝度信号と副画面色差信号とに分離する副画面YC分離手段と、該副画面YC分離手段により分離された副画面色差信号を副画面輝度信号に対して遅延させる遅延差制御手段とを備えるようにしたものである。
【００１７】
また、前記主画面処理用集積回路は、前記アナログディジタル変換手段とディジタル信号処理手段との間に、ラインメモリを用いて、前記アナログディジタル変換手段から出力される処理対象となるラインの前後の１ラインの映像データから、演算により該対象となるラインの映像データのYC分離処理を行うYC分離手段を備え、前記遅延差制御手段が、前記副画面色差信号を前記副画面輝度信号に対して１ライン期間遅延させて出力するようにしたものである。
【００１８】
また、本発明に係る映像信号処理回路は、副画面用の映像信号を入力とし、該映像信号に対して、表示領域を縮小するための縮小処理を行い、該縮小処理した副画面用映像信号を出力する副画面処理用集積回路と、主画面用の映像信号と、前記副画面処理用集積回路が出力する副画面用映像信号とを入力として、主画面の表示領域では主画面用映像信号を選択し、前記表示領域を縮小した副画面の表示領域では、前記縮小処理した副画面用映像信号を選択して出力する切換手段、及び該切換手段の出力に対し、前記主画面と副画面との境界に所定幅の境界線を挿入する処理を行うボーダー挿入手段を備えた主画面処理用集積回路とを備えるようにしたものである。
【００１９】
【発明の実施の形態】
実施の形態１．
図１は本実施の形態１に係る映像信号処理装置の構成を示すブロック図であり、映像信号処理装置は、主画面用信号処理回路１４７と、副画面用信号処理回路１４６とを備えている。この主画面用信号処理回路１４７と、副画面用信号処理回路１４６とは、互いに独立した集積回路を構成している。
【００２０】
副画面用信号処理回路１４６において、Ａ／Ｄ変換器１２０は、入力端子１１９より入力された副画面用のアナログ映像信号Ｓ１２４をディジタル映像信号Ｓ１２５に変換し、同期分離回路１３３とＹＣ分離回路１２１にそれぞれ入力する。同期分離回路１３３はディジタル映像信号Ｓ１２５から水平同期信号及び垂直同期信号を分離し、副画面入力信号に同期した水平・垂直基準パルスＳ１４３を生成する。ＹＣ分離回路１２１はディジタル映像信号Ｓ１２５から輝度信号Ｓ１２６と色信号Ｓ１２７とを分離する。色復調回路１２２は入力される色信号Ｓ１２７を色差信号であるＵ信号Ｓ１２８とＶ信号Ｓ１２９に復調する。水平垂直フィルタ１２３は輝度信号Ｓ１２６とＵ信号Ｓ１２８とＶ信号Ｓ１２９とから、水平方向と垂直方向に対して圧縮した輝度信号Ｓ１３０とＵ信号Ｓ１３１とＶ信号Ｓ１３２を作成し、メモリ１２４に書き込む。メモリ制御回路１２５は、副画面入力に同期した水平・垂直基準パルスＳ１４３と、メモリ１２４の書き込みのタイミングを制御するとともに、主画面入力に同期した水平・垂直基準パルスＳ１４６によりメモリ１２４の読み出しのタイミングを制御する。Ｄ／Ａ変換器１２７、１２８、１２９はそれぞれ輝度信号Ｓ１３３、Ｕ信号Ｓ１３４、Ｖ信号Ｓ１３５をディジタル信号からアナログ信号へ変換する。この変換により得られた副画面用輝度出力信号Ｓ１３９が出力端子１４２から、副画面用Ｕ出力信号Ｓ１４０が出力端子１４３から、副画面用Ｖ出力信号Ｓ１４１が出力端子１４４から、それぞれ出力される。切換信号発生回路１４１は、主画面入力に同期した水平・垂直基準パルスＳ１４６に基づいて、副画面の信号が有効な領域を表す主副切換信号Ｓ１４２を発生し、出力端子１４５から出力する。
【００２１】
主画面用信号処理回路１４７において、入力端子１０１には主画面用コンポジット映像信号もしくはＳ端子入力時の輝度信号Ｓ１０１が入力され、入力端子１０２には副画面用輝度出力信号Ｓ１３９が入力される。切換回路１０３は、主副切換信号Ｓ１４２に応じて主画面用コンポジット映像信号もしくはＳ端子入力時の輝度信号Ｓ１０１と、副画面用輝度出力信号Ｓ１３９とを切り替えて出力する。例えば、主副切換信号Ｓ１４２のＨｉｇｈ期間には副画面用輝度出力信号Ｓ１３９が、主副切換信号Ｓ１４２のＬｏｗ期間には主画面用コンポジット映像信号Ｓ１０１が、それぞれ合成輝度信号Ｓ１０２として出力される。これにより、主画面を表示する領域では主画面用コンポジット映像信号Ｓ１０１が、副画面を表示する領域では、副画面用輝度出力信号Ｓ１３９が合成輝度信号Ｓ１０２として出力される。Ａ／Ｄ変換器１０４は合成輝度信号Ｓ１０２をアナログ信号からディジタル信号である合成映像信号Ｓ１０３へ変換する。同期分離回路１３３は合成映像信号Ｓ１０３から水平同期信号及び垂直同期信号を分離し、主画面入力信号に同期した水平・垂直基準パルスＳ１４５、及び水平・垂直基準パルスＳ１４６を生成する。ＹＣ分離回路１０５は合成映像信号Ｓ１０３から主画面用の輝度信号Ｓ１０４と主画面用の色信号Ｓ１０５を分離する。ここで、本実施の形態１において用いられているＹＣ分離回路１０５は、画質の向上を図るために、入力された合成映像信号Ｓ１０３を１ライン分、１ライン期間だけ記憶する第１のラインメモリ（図示せず）と、第１のラインメモリ（図示せず）の出力する１ライン分の映像信号を１ライン期間だけ記憶する第２のラインメモリとを有する、いわゆるラインコムフィルタ（図示せず）を備えており、第１のラインメモリから出力される１ラインの映像信号のＹＣ分離を、該第１のラインメモリから出力される映像信号と、第２のラインメモリから出力される映像信号、すなわち第１のラインメモリから出力されるラインに対して１ライン前の映像信号と、第１のラインメモリに入力される映像信号、すなわち第１のラインメモリから出力されるラインに対して１ライン後の映像信号との相関に基づいた演算に基づいて行っている。つまり、対象となるラインの映像信号からのＹＣ分離を、この対象となるラインの映像信号と、その前後１ラインの映像信号との相関に基づく演算により行っている。このため、入力される映像信号に対して、分離により得られる輝度信号及び色信号が常に１ライン期間だけ遅延することとなる。切換回路１０６は入力を切り替えることにより、主画面用の入力信号がコンポジット映像信号である場合にはＹＣ分離回路１０５が出力する色信号Ｓ１０５を選択的に出力し、主画面用の入力信号がＳ端子入力の輝度信号である場合には、後述する分割回路１１３の出力する色信号Ｓ１１０を選択的に出力する。色復調回路１０７は切換回路１０６から出力される色信号Ｓ１０６を色差信号であるＵ信号Ｓ１１３とＶ信号Ｓ１１４とに復調する。画質調整回路１１５は輝度信号Ｓ１０４とＵ信号Ｓ１１３とＶ信号Ｓ１１４とに対して、画質を調整するためのディジタル画像処理を行う。このディジタル画像処理としては、画像内の輪郭部を強調する輪郭補正などがある。これにより画質を調整された輝度信号Ｓ１１５、Ｕ信号Ｓ１１６、Ｖ信号Ｓ１１７が得られる。
【００２２】
入力端子１０８には、Ｓ端子入力時に主画面用のＳ端子入力の色信号Ｓ１０７が入力される。入力端子１０９には、副画面用Ｕ出力信号Ｓ１４０が入力され、入力端子１１０には副画面用Ｖ出力信号Ｓ１４１が入力される。時分割多重制御回路１１４は、主副切換信号Ｓ１４２に基づき多重切換信号Ｓ１１３を生成する。切換回路１１１は、多重切換信号Ｓ１１３に基づいて、入力端子１０８〜１１０のうちのいずれか１つの入力を選択して、これを合成映像信号Ｓ１０８として出力する。例えば、多重切換信号Ｓ１１３が0の時にはＳ端子入力の色信号Ｓ１０７を選択し、多重切換信号Ｓ１１３が１の時には副画面用Ｕ出力信号Ｓ１４０が選択し、多重切換信号Ｓ１１３が２の時には副画面用Ｖ出力信号Ｓ１４１を選択する。Ａ／Ｄ変換器１１２はアナログ信号である合成映像信号Ｓ１０８をディジタル信号の合成映像信号Ｓ１０９に変換する。分割回路１１３は合成映像信号Ｓ１０９をＳ端子入力時の色信号Ｓ１１０と副画面用のＵ信号Ｓ１１１と、Ｖ信号Ｓ１１２とに分離する。
【００２３】
主副切換回路１１６は主副切換信号Ｓ１４２に基づいて、主画面を表示する期間には、画質調整回路１１５から得られる輝度信号Ｓ１１５から主画面に対応した輝度信号を取り出し、この取り出した輝度信号、Ｕ信号Ｓ１１６、及びＶ信号Ｓ１１７を、輝度信号Ｓ１１８、Ｕ信号Ｓ１１９、Ｖ信号Ｓ１２０として出力する。また副画面を表示する期間には、Ａ／Ｄ変換器１０４が出力する映像信号Ｓ１０３のうちの副画面用の輝度信号を取り出し、この輝度信号、Ｕ信号Ｓ１１１、及びＶ信号Ｓ１１２を輝度信号Ｓ１１８、Ｕ信号Ｓ１１９、Ｖ信号Ｓ１２０として出力する。このように入力信号を切り替えることにより、主画面用映像信号の中に副画面用映像信号が挿入された輝度信号Ｓ１１８、Ｕ信号Ｓ１１９、Ｖ信号Ｓ１２０を出力する。ＲＧＢマトリクス回路１１７は輝度信号Ｓ１１８、Ｕ信号Ｓ１１９、Ｖ信号Ｓ１２０をＲＧＢ信号に変換して、Ｒ信号Ｓ１２１、Ｇ信号Ｓ１２２、Ｂ信号Ｓ１２３を出力する。ボーダー挿入回路１３４は同期分離回路１３０が出力する同期信号Ｓ１４５に基づいて、主画面映像と副画面映像との境界線上に所定幅のボーダーラインを描画するための信号をＲ信号Ｓ１２１、Ｇ信号Ｓ１２２、Ｂ信号Ｓ１２３に挿入する。Ｄ／Ａ変換器１３５、１３６、１３７はそれぞれ、ボーダー挿入回路１３４が出力するボーダーラインが挿入されたＲ信号Ｓ１４７、Ｇ信号Ｓ１４８、Ｂ信号Ｓ１４９をディジタル信号からアナログ信号に変換し、Ｒ出力信号Ｓ１５０を出力端子１３８から、Ｇ出力信号Ｓ１５１を出力端子１３９から、またＢ出力信号Ｓ１５２を出力端子１４０から出力する。
【００２４】
図３は本発明の実施の形態１に係る映像信号処理装置における、主画面用の映像信号と副画面用輝度信号とが時分割多重されてＡ／Ｄ変換器に入力される場合の動作の一例を説明するためのタイミング図であり、図において、Ｓ１４２は主副切換信号、Ｓ１０１は主画面用のコンポジット映像信号入力あるいはＳ端子入力のうちの輝度信号入力、Ｓ１３９は副画面用の輝度信号出力、Ｓ１０２は時分割多重された映像信号、Ｓ１０３はＡ／Ｄ変換されたディジタルの映像信号をそれぞれ示している。図中の丸、及び四角はサンプリング地点を表しており、Ｍ−Ｙは主画面用映像信号の輝度信号を、Ｓ−Ｙは副画面用映像信号の輝度信号を表し、Ｙの後ろの番号はサンプリング地点の番号を示している。
【００２５】
図４は本発明の実施の形態１に係る映像信号処理装置における、主画面用映像信号と副画面用色差信号とが時分割多重されてＡ／Ｄ変換器に入力される場合の動作の一例を説明するためのタイミング図であり、図において、Ｓ１１３は色差信号多重用切換信号、Ｓ１０７は主画面用の色信号入力、Ｓ１４０は副画面用のＵ信号出力、Ｓ１４１は副画面用のＶ信号出力、Ｓ１０８は時分割多重された映像信号、Ｓ１０９はＡ／Ｄ変換されたディジタルの映像信号、Ｓ１１０は分離された主画面用色信号、Ｓ１１１は分離された副画面用Ｕ信号、Ｓ１１２は分離された副画面用のＶ信号をそれぞれ表している。図中の丸、三角及び四角はサンプリング地点を表しており、Ｍ−Ｃは主画面用映像信号の色信号を、Ｓ−Ｕは副画面用映像信号のＵ信号出力を表し、Ｓ−Ｖは副画面用映像信号のＶ信号出力を表し、Ｃ，Ｕ及びＶの後ろの番号はサンプリング地点の番号を示している。副画面用のＵ信号出力Ｓ１４０と、副画面用のＶ信号出力Ｓ１４１とはひとつのＡ／Ｄ変換器１１２によりサンプリングを行うため、サンプリング地点がずれている。
【００２６】
図５(a)は本発明の実施の形態１に係る映像信号処理装置を説明するための、主画面映像に副画面映像を挿入した際の表示例、図５(b)はその表示に対応した映像信号を示す図であり、図において、５０ａは主画面映像信号を走査する映像信号波形、５０ｂは副画面映像と主画面映像との境界を走査する映像信号波形、５０ｃは副画面映像を走査する映像信号波形、５０ｂ’は５０ｂの走査位置に対して、上下のライン間の相関を見て演算をした映像信号波形、５０ｂ”は主画面映像と副画面映像との境界線上、即ち５０ｂの走査位置に沿って、ボーダーラインとして黒を挿入した場合の映像信号波形、５０ｓは上下のラインとの相関で誤演算を起こしている部分を示している。ここでは説明を容易にするために、主画面映像と副画面映像がともに縦じまパターンの画像としている。また、映像信号波形５０ｂ’を得るための演算としては、映像信号波形５０ａ〜５０ｃのうちのもっとも頻度の高い値を映像信号波形５０ｂ’の値として求める演算を行っており、例えば、映像信号波形５０ａと映像信号波形５０ｂとの値が“Ｈ”で、映像信号波形５０ｃの値が“Ｌ”である位置において、演算により得られる映像信号波形５０ｂ’の値は“Ｈ”となる。
【００２７】
次に本実施の形態１に係る映像信号処理装置の動作について説明する。入力端子１１９より入力された副画面用のアナログ映像信号Ｓ１２４は、Ａ／Ｄ変換器１２０によりディジタル映像信号Ｓ１２５に変換され、同期分離回路１３３とＹＣ分離回路１２１とに入力される。また、同期分離回路１３３に入力されたディジタル映像信号Ｓ１２５から水平同期信号及び垂直同期信号が分離され、副画面入力信号に同期した水平・垂直基準パルスＳ１４３が生成される。ＹＣ分離回路１２１に入力されたディジタル映像信号Ｓ１２５からは輝度信号Ｓ１２６と色信号Ｓ１２７とが分離される。色信号Ｓ１２７は色復調回路１２２に入力され、色差信号であるＵ信号Ｓ１２８とＶ信号Ｓ１２９とに復調される。輝度信号Ｓ１２６とＵ信号Ｓ１２８とＶ信号Ｓ１２９とは水平垂直フィルタ１２３に入力され、水平方向と垂直方向において圧縮され、圧縮により得られた輝度信号Ｓ１３０とＵ信号Ｓ１３１とＶ信号Ｓ１３２とがメモリ１２４に書き込まれる。このメモリ１２４への書き込みのタイミングは副画面入力に同期した水平・垂直基準パルスＳ１４３に基づいてメモリ制御回路１２５が制御する。また、主画面入力に同期した水平・垂直基準パルスＳ１４６に基づいてメモリ制御回路１２５によりメモリ１２４の読み出しのタイミングを制御することにより、メモリ１２４から輝度信号Ｓ１３３、Ｕ信号Ｓ１３４、Ｖ信号Ｓ１３５が読み出され、それぞれＤ／Ａ変換器１２７、１２８、１２９により、ディジタル信号からアナログ信号へ変換され、出力端子１４２から副画面用輝度出力信号Ｓ１３９が、出力端子１４３から副画面用Ｕ出力信号Ｓ１４０が、また出力端子１４４から副画面用Ｖ出力信号Ｓ１４１がそれぞれ出力される。切換信号発生回路１４１では、主画面入力に同期した水平・垂直基準パルスＳ１４６に基づいて副画面の映像信号が有効な領域を表す主副切換信号Ｓ１４２が生成され、出力端子１４５から出力する。
【００２８】
入力端子１０１には主画面用コンポジット映像信号もしくはＳ端子入力時のＳ端子入力の輝度信号Ｓ１０１が入力され、入力端子１０２には副画面用輝度出力信号Ｓ１３９が入力される。切換回路１０３は、輝度信号Ｓ１０１と副画面用輝度出力信号Ｓ１３９とを主副切り替え信号Ｓ１４２に基づいて切り替えて出力する。例えば、図３に示すように本実施の形態１において、副画面用輝度出力信号Ｓ１３９が入力されている期間に、主副切換信号Ｓ１４２のＨｉｇｈが出力されるようにすると、切換回路１０３から、副画面映像信号が入力されている場合は副画面用輝度出力信号Ｓ１３９が、副画面信号が入力されていない場合は主画面用コンポジット映像信号Ｓ１０１が、合成輝度信号Ｓ１０２として出力される。合成輝度信号Ｓ１０２はＡ／Ｄ変換器１０４によりアナログ信号からディジタル信号の合成映像信号Ｓ１０３へ変換され、同期分離回路１３０とＹＣ分離回路１０５、主副切換回路１１６に入力される。同期分離回路１３３では合成映像信号Ｓ１０３から水平及び垂直同期信号が分離され、主画面入力信号に同期した水平・垂直基準パルスＳ１４５、Ｓ１４６が生成される。ＹＣ分離回路１０５では合成映像信号Ｓ１０３から主画面用の輝度信号Ｓ１０４と主画面用の色信号Ｓ１０５とが分離される。この本実施の形態１においては、ＹＣ分離回路１０５がラインコムフィルタを備えているため、各ラインのＹＣ分離は、その前後１ラインを含めた計３ラインの映像信号の相関から演算によって行われる。また、ＹＣ分離回路１０５の出力は常にＹＣ分離回路１０５に入力される映像信号に対して１ライン期間分だけ遅延した信号となる。色信号Ｓ１０６は色復調回路１０７に入力され、色差信号であるＵ信号Ｓ１１３とＶ信号Ｓ１１４とに復調される。輝度信号Ｓ１０４とＵ信号Ｓ１１３とＶ信号Ｓ１１４とは画質調整回路１１５に入力される。画質調整回路１１５はディジタル処理による画質調整のための画像処理を行う。この画像処理の一例としては輪郭部を強調する輪郭補正などがあり、画質を調整された輝度信号Ｓ１１５、Ｕ信号Ｓ１１６、Ｖ信号Ｓ１１７が得られる。
【００２９】
入力端子１０８には主画面用のＳ端子入力の色信号Ｓ１０７が入力され、入力端子１０９には、副画面用Ｕ出力信号Ｓ１４０が入力され、入力端子１１０には副画面用Ｖ出力信号Ｓ１４１が入力される。時分割多重制御回路１１４は主副切換信号Ｓ１４２に基づいて、多重切替信号Ｓ１１３を生成し、切換回路１１１はこの多重切換信号Ｓ１１３に基づいて、Ｓ端子入力時の色信号Ｓ１０７、副画面用Ｕ出力信号Ｓ１４０、副画面用Ｖ出力信号Ｓ１４１のいずれかを選択して合成映像信号Ｓ１０８として出力する。例えば、多重切換信号Ｓ１１３が０の場合には切換手段１１１がＳ端子入力時の色信号Ｓ１０７を選択し、多重切換信号Ｓ１１３が１の場合には切換手段１１１が副画面用Ｕ出力信号Ｓ１４０を選択し、多重切換信号Ｓ１１３が２の場合には切換手段１１１が副画面用Ｖ出力信号Ｓ１４１を選択して、アナログ信号の合成映像信号Ｓ１０８として出力する。アナログ信号の合成映像信号Ｓ１０８はＡ／Ｄ変換器１１２によりディジタル信号の合成映像信号Ｓ１０９に変換される。分割回路１１３により合成映像信号Ｓ１０９はＳ端子入力時の色信号Ｓ１１０と副画面用のＵ信号Ｓ１１１とＶ信号Ｓ１１２とに分離される。主副切換回路１１６は主副切換信号Ｓ１４２に基づいて輝度信号Ｓ１１５のうちの主画面用の輝度信号、Ｕ信号Ｓ１１６、Ｖ信号Ｓ１１７と、Ａ／Ｄ変換器１１２の出力する映像信号Ｓ１０３のうちの副画面用の輝度信号、Ｕ信号Ｓ１１１、Ｖ信号Ｓ１１２とを切り換え、主画面用の信号の中に副画面用の信号が挿入された輝度信号Ｓ１１８、Ｕ信号Ｓ１１９、Ｖ信号Ｓ１２０が得られる。輝度信号Ｓ１１８、Ｕ信号Ｓ１１９、Ｖ信号Ｓ１２０は、ＲＧＢマトリクス回路１１７により、ＲＧＢ信号に変換され、Ｒ信号Ｓ１２１、Ｇ信号Ｓ１２２、Ｂ信号Ｓ１２３がボーダー挿入回路１３４に出力される。
【００３０】
ここで、図５(a)に示すように主画面映像信号と副画面映像信号との境界部分では、境界の上下のライン間では副画面が切換により挿入されるため映像の相関が無くなる。本実施の形態１においては、主画面用のＹＣ分離回路１０５においてラインコムフィルタにより、ＹＣ分離の対象となるラインの上下のライン間で映像の相関をみてＹＣ分離を行なっているが、主画面と副画面の境界においては、主画面映像信号と副画面映像信号との相関が無いため、図５(b)に示すように、映像信号波形５０ａと，映像信号波形５０ｂと，映像信号波形５０ｃとの相関から、映像信号波形５０ｂの走査位置のＹＣ分離の演算を行った場合、映像信号波形５０ｂ’のようにＳ点において誤演算を起こしてしまい、良好な画像が得られない可能性があるが、本実施の形態１においては、ボーダー挿入回路１３４において、水平・垂直同期基準パルスＳ１４５より主画面と副画面の境界部分に、所定幅のボーダーラインを新たに作成し、挿入することにより、図５に示す映像信号波形５０ｂ”のように、境界部分において演算誤差が発生し、境界の画像が乱れたとしても、この乱れの発生した境界上にボーダーラインを描画することで、境界の画像の乱れを隠した、即ち乱れをなくした良好な画像の得ることができるＲ信号Ｓ１４７、Ｇ信号Ｓ１４８、Ｂ信号Ｓ１４９を出力できる。Ｒ信号Ｓ１４７、Ｇ信号Ｓ１４８、Ｂ信号Ｓ１４９はＤ／Ａ変換器１３５、１３６、１３７によりディジタル信号からアナログ信号に変換され、Ｒ出力信号Ｓ１５０が出力端子１３８から、Ｇ出力信号Ｓ１５１が出力端子１３９から、Ｂ出力信号Ｓ１５２が出力端子１４０から出力される。
【００３１】
本実施の形態１においては、副画面信号処理回路１４６と、主画面用信号処理回路１４７とをそれぞれディジタル回路としたことにより、これらの回路をそれぞれ独立した１つの集積回路に集積することができ、回路規模を小さくすることができるとともに、回路全体の温度特性等のばらつきをなくし、装置の調整をなくす、あるいは簡略化することができる。
【００３２】
また、切換回路１０３により主画面用に入力されたコンポジット映像信号あるいはＳ入力映像信号の輝度信号と、副画面信号処理回路１４６の出力信号とを切換回路１０３により切り換え、Ａ／Ｄ変換器１０４により切換回路１０３から得られた信号をディジタル信号化し、このディジタル信号をＹＣ分離した信号に対して、ＲＧＢマトリクス回路１１７によるＲＧＢ信号への変換をディジタル処理で行うようにしたので、本来は、主画面入力信号用のＲＧＢマトリクス回路１１７を副画面映像信号のディジタル処理に共用でき、副画面映像信号の処理のためのＲＧＢマトリクス回路を設ける必要がなく、回路規模の増大を抑えることができる。また、主画面用に入力された映像信号と副画面用信号処理回路１０３の出力信号とを切り換えながら時分割多重することで、主画面入力信号用のＡ／Ｄ変換器であるＡ／Ｄ変換器１０４を共用することができ、主画面用信号処理回路１４７において副画面用信号入力専用のＡ／Ｄ変換器を副画面用信号処理回路１４６の３つの映像信号に対応して３つ持つ必要がなくなり、回路の増大を防ぐことができる。
【００３３】
また、副画面信号処理回路１４６と、主画面用信号処理回路１４７の接続がアナログ信号接続のため副画面信号入力に必要な端子数もアナログ信号のＹ信号、Ｕ信号、Ｖ信号の入力ポートの増加にとどまり最小限に抑えられ、回路規模を小さくすることができる。例えば、副画面信号処理回路１４６と主画面用信号処理回路１４７とのインターフェイスに関してはディジタル接続も考えられるが入出力端子数、即ち集積回路のピン数が増えてしまい、構成が複雑化し、回路規模も大きくなってしまうが、本実施の形態１においては、アナログ信号接続のため副画面信号の入力に必要な端子数もアナログ信号のＹ信号、Ｕ信号、Ｖ信号の入力ポートの増加にとどまり最小限に抑えられるため、回路規模を小さくすることができる。
【００３４】
また、ボーダー挿入回路１３４を設け、主画面と副画面との境界部分にボーダーラインを挿入することにより、境界部分における主画面映像信号の演算誤差による画像の乱れを隠すことができ、画質劣化を防ぐことができる。
【００３５】
なお、本実施の形態１においては、画質調整のためのディジタル画像処理を行う画質調整回路１１５を設けるようにしたが、本発明においては、画質調整以外のディジタル処理を行うディジタル処理回路を設けるようにしてもよく、このような場合においても上記実施の形態１と同様の効果を奏する。また、このようなディジタル処理回路を切換回路１１６とＲＧＢマトリクス回路１１７との間に設けるようにして、主画面及び副画面の輝度信号及び色差信号にディジタル処理を行えるようにしてもよく、このような場合においても上記実施の形態１と同様の効果を奏する。さらに、画質調整回路１１５に加えて、Ａ／Ｄ変換機１０４及び分割回路１１３と切換回路１１６との間にも画質調整回路を設けるようにしてもよい。
【００３６】
また、上記実施の形態１においては、ボーダー挿入回路１３４によるボーダーラインの挿入を、同期分離回路１３０からの水平・垂直基準パルスＳ１４５に基づいて制御していたが、主副切換信号Ｓ１４２に基づいて、主画面と副画面との変化点を検出し、ボーダーラインを挿入するようにしてもよい。
【００３７】
また、本実施の形態１においては、2個のＡ／D変換器を主画面用映像信号と副画面用映像信号とで共用する場合を例にして説明したが、本発明においては、主画面用映像信号のディジタル信号化に利用されるＡ／Ｄ変換器が1個の場合、もしくは3個以上の場合でも主画面映像信号入力と副画面映像信号出力とを切り換えることで共用することができる。
【００３８】
実施の形態２．
図８は本発明の実施の形態２に係る映像信号処理装置の構成を示すブロック図であり、本実施の形態２に係る映像信号処理装置は、上記実施の形態１に係る映像信号処理装置において、画質調整回路から出力される輝度信号から、主副切換器により、主画面用の輝度信号に加えて、副画面用の切換信号も取り出すようにして、副画面の輝度信号にも画質調整回路による画質調整を行えるようにしたものである。図において、図１と同一符号は同一または相当する部分を示しており、副画面用信号処理回路１４６ａのＹＵＶ遅延差制御回路１２６はメモリ１２４から輝度信号Ｓ１３３、Ｕ信号Ｓ１３４、Ｖ信号Ｓ１３５を読み出し、輝度信号Ｓ１３３に対して、Ｕ信号Ｓ１３４とＶ信号Ｓ１３５とを１水平期間遅延させて出力することで、輝度信号Ｓ１３６に対して、１水平期間分の遅延差を持ったＵ信号Ｓ１３７、及びＶ信号Ｓ１３８を生成する。なお、ＹＵＶ遅延差制御回路１２６により、Ｕ信号Ｓ１３４とＶ信号Ｓ１３５とを１水平期間分だけ遅延させて出力する代わりに、ＹＵＶ遅延差制御回路１２６を設けずに、メモリ制御回路１２５によりメモリ１２４からの読み出しタイミング差をつけることによりＵ信号Ｓ１３４とＶ信号Ｓ１３５とを輝度信号Ｓ１３６に対して１水平期間分だけ遅延させるようにしてもよい。Ｄ／Ａ変換器１２７、１２８、１２９はそれぞれ輝度信号Ｓ１３６、Ｕ信号Ｓ１３７、Ｖ信号Ｓ１３８をディジタル信号からアナログ信号へ変換する。主画面用信号処理回路１４７ａの主副切換回路１１６ａは画質調整回路１１５の出力する輝度信号Ｓ１１５，Ｓ１１６，Ｓ１１７、及び分割回路１１３の出力するＵ信号Ｓ１１１，Ｖ信号Ｓ１１２を入力としており、主副切換信号Ｓ１４２に基づいて、主画面を表示する期間には、画質調整回路１１５から得られる輝度信号Ｓ１１５から主画面に対応した輝度信号を取り出し、この取り出した輝度信号、Ｕ信号Ｓ１１６、及びＶ信号Ｓ１１７を輝度信号Ｓ１１８、Ｕ信号Ｓ１１９、Ｖ信号Ｓ１２０として出力する。また副画面を表示する期間には、画質調整回路１１５から得られる輝度信号Ｓ１１５から副画面に対応した輝度信号を取り出し、この輝度信号、Ｕ信号Ｓ１１１、及びＶ信号Ｓ１１２を輝度信号Ｓ１１８、Ｕ信号Ｓ１１９、Ｖ信号Ｓ１２０として出力する。このように入力信号を切り替えることにより、主画面用映像信号の中に副画面用映像信号が挿入された輝度信号Ｓ１１８、Ｕ信号Ｓ１１９、Ｖ信号Ｓ１２０を出力する。
【００３９】
次に、動作について説明する。なお、上記実施の形態１と同様の構成の部分についての動作の説明はここでは省略する。
主副切換回路１１６ａは主副切換信号Ｓ１４２に基づいて輝度信号Ｓ１１５のうちの主画面用の輝度信号、Ｕ信号Ｓ１１６、Ｖ信号Ｓ１１７と、輝度信号Ｓ１１５のうちの副画面用の輝度信号、Ｕ信号Ｓ１１１、Ｖ信号Ｓ１１２とを切り換え、主画面用の信号の中に副画面用の信号が挿入された輝度信号Ｓ１１８、Ｕ信号Ｓ１１９、Ｖ信号Ｓ１２０を得る。輝度信号Ｓ１１５は画質調整回路１１５により画質調整が行われた輝度信号であるため、この輝度信号Ｓ１１５から取り出される主画面用の輝度信号と副画面用の輝度信号とはいずれも画質調整が行われた輝度信号であり、この結果、副画面用の映像信号にも画質調整が行われることとなり、副画面にも良好な画質の画像を得ることが可能となる。
【００４０】
ここで、本実施の形態２においては、主画面用の輝度信号、色差信号、及び副画面用の輝度信号を結果的にはＹＣ分離回路１０５を経て得られる輝度信号Ｓ１０４から主副切換回路１１６ａを用いて取り出すようにしている。このＹＣ分離回路１０５は、上記実施の形態１において説明したようにいわゆるラインコムフィルタを備えているため、出力される主画面用の輝度信号、色差信号、副画面用の輝度信号は、ＹＣ分離回路１０５を通過しない副画面用のＵ信号及びＶ信号に対して１ライン期間だけ遅延することとなる。したがって、上記実施の形態１において示した副画面用処理回路を用いた場合、このような遅延が発生することにより、主画面と副画面との間に基準ラインのずれが生じ、良好な画質が得られなくなってしまう。
【００４１】
これを解消するために、本実施の形態２では、副画面用信号処理回路１４６ａにおいて、メモリ１２４から副画面用の輝度信号Ｓ１３３、Ｕ信号Ｓ１３４、及びＶ信号Ｓ１３５をＹＵＶ遅延差制御回路１２６に読み出し、このＹＵＶ遅延差制御回路１２６により、予め輝度信号Ｓ１３３に対して、Ｕ信号Ｓ１３４とＶ信号Ｓ１３５とを１水平期間遅延させて、輝度信号Ｓ１３６と、この輝度信号Ｓ１３６に対して、１水平期間分の遅延差を持ったＵ信号Ｓ１３７、Ｖ信号Ｓ１３８とをＤ／Ａ変換器１２７，１２８，１２９に出力するようにしている。この結果、ＹＣ分離回路１０５において、主画面用映像信号Ｓ１０１及び副画面用輝度出力信号Ｓ１３９が１ライン期間分だけ遅延されて出力されることで、主画面用映像信号Ｓ１０１及び副画面用輝度出力信号Ｓ１３９と、副画面用Ｕ出力信号Ｓ１４０及び副画面用Ｖ出力信号Ｓ１４１との間の遅延をなくすことができる。なお、ＹＵＶ遅延制御についてはＹＵＶ遅延差制御回路１２６を設ける代わりに、メモリの読み出しにタイミング差をつけることにより行なうようにしてもよい。
【００４２】
以上のように、本実施の形態２においては、上記実施の形態１と同様の効果を奏するとともに、副画面の映像信号に対して画質調整を施すことで、良好な画質の副画面映像が得られる映像信号処理装置が得られる効果がある。
【００４３】
また、副画面用信号処理回路１４６ａのＹＵＶ遅延差制御回路１２６により、副画面用輝度信号と副画面用Ｕ信号および副画面用Ｖ信号とに１ライン分の信号遅延差をつけることにより、主画面用信号処理回路１４７ａの、ラインコムフィルタを使用したＹＣ分離回路１０５において発生する主画面用映像信号及び副画面用輝度信号の、副画面用Ｕ信号および副画面用Ｖ信号に対する１水平期間の遅延をなくすことができ、主画面と副画面との切り換わりで基準ラインのずれをなくすことができ、良好な画質の画像を得ることができる。
【００４４】
実施の形態３．
図２は、本発明の実施の形態３に係る映像信号処理装置の構成を示すブロック図であり、この映像信号処理装置は、前記実施の形態１に係る映像信号処理装置において、主画面用信号処理回路の入力をＹＵＶが分離されたコンポーネント信号入力としたものである。図において、図１と同一符号は同一または相当する部分を示しており、主画面用信号処理回路２２６において、入力端子２０１にはコンポーネント信号のうちの主画面用輝度信号Ｓ２０１が入力され、入力端子２０２には副画面用輝度出力信号Ｓ１３９が入力される。切換回路２０７は、主副切換信号Ｓ１４２に応じて主画面用輝度信号Ｓ２０１と、副画面用輝度出力信号Ｓ１３９とを切り替えて出力する。例えば、主副切換信号Ｓ１４２のＨｉｇｈ期間には副画面用輝度出力信号Ｓ１３９が、主副切換信号Ｓ１４２のＬｏｗ期間には主画面用輝度信号Ｓ２０１が、それぞれ合成輝度信号Ｓ２０７として出力される。Ａ／Ｄ変換器２０９は合成輝度信号Ｓ２０７をアナログ信号からディジタル信号の合成輝度信号Ｓ２０８へ変換して、同期分離回路２２４と画質調整回路２１３と主副切換回路２１４とに出力する。同期分離回路２２４は合成輝度信号Ｓ２０８から水平同期信号及び垂直同期信号を分離し、主画面用輝度信号に同期した水平・垂直基準パルスＳ１４６を生成し、出力端子２２５から出力する。
【００４５】
入力端子２０３にはコンポーネント信号のうちの主画面用Ｕ信号Ｓ２０３が入力され、入力端子２０４にはコンポーネント信号のうちの主画面用Ｖ信号Ｓ２０４が入力される。入力端子２０５には副画面用Ｕ出力信号Ｓ１４０が入力され、入力端子２０６には副画面用Ｖ出力信号Ｓ１４１が入力される。時分割多重制御２１２は主副切換信号Ｓ１４２に基づいて多重切換信号Ｓ２１５を生成する。切換回路２０８は、多重切換信号Ｓ２１５に基づいて、入力端子２０３〜２０６のうちのいずれか１つの入力を選択して、これを合成映像信号Ｓ２０９として出力する。Ａ／Ｄ変換器２１０は合成映像信号Ｓ２０９をアナログ信号からディジタル信号の合成色差信号Ｓ２１０に変換する。分割回路２１１は多重切換信号Ｓ２１５に基づいて合成映像信号Ｓ２１０を主画面用のＵ信号Ｓ２１１、主画面用のＶ信号Ｓ２１２、副画面用のＵ信号Ｓ２１３、副画面用Ｖ信号Ｓ２１４に分離する。合成輝度信号Ｓ２０８と主画面用Ｕ信号Ｓ２１１と主画面用Ｖ信号Ｓ２１２とは画質調整回路２１３に入力され、画質調整のためのディジタル処理が行われ、画質を調整された輝度信号Ｓ２１７、Ｕ信号Ｓ２１８、Ｖ信号Ｓ２１９が得られる。画質調整回路２１３の一例としては輪郭部を強調する輪郭補正などがある。主副切換回路２１４は主副切換信号Ｓ１４２に基づいて、主画面を表示する期間には、画質調整回路２１３から得られる輝度信号Ｓ２１７から主画面に対応した輝度信号を取り出し、この取り出した輝度信号、Ｕ信号Ｓ２１８、及びＶ信号Ｓ２１９を輝度信号Ｓ２２０、Ｕ信号Ｓ２２１、Ｖ信号Ｓ２２２として出力する。また副画面を表示する期間には、、Ａ／Ｄ変換器２０９が直接出力する映像信号Ｓ２０８のうちの副画面用の輝度信号を取り出し、この輝度信号、Ｕ信号Ｓ２１３、及びＶ信号Ｓ２１４を輝度信号Ｓ２２０、Ｕ信号Ｓ２２１、Ｖ信号Ｓ２２２として出力する。このように入力信号を切り替えることにより、主画面用映像信号の中に副画面用映像信号が挿入された輝度信号Ｓ２２０、Ｕ信号Ｓ２２１、Ｖ信号Ｓ２２２を出力する。輝度信号Ｓ２２０、Ｕ信号Ｓ２２１、及びＶ信号Ｓ２２２は、ＲＧＢマトリクス回路２１５により、ＲＧＢ信号に変換され、Ｒ信号Ｓ２２３、Ｇ信号Ｓ２２４、Ｂ信号Ｓ２２５として出力される。主画面映像信号と副画面映像信号の境界部分では、画面の上下間または左右間では副画面が切換により挿入されるため相関が無くなる。主画面用の画質調整回路２１３においてライン間の相関をみて輪郭補正をしたり、水平方向の輪郭補正を行なっていたとすると、主画面映像信号と副画面映像信号との相関が無いため、誤演算を起こす可能性があるが、ボーダー挿入回路２１７は、水平・垂直同期基準パルスＳ２３２より主画面と副画面の境界部分にボーダーラインを挿入することにより境界部分の演算誤差による画像の乱れを無くしたＲ信号Ｓ２２６、Ｇ信号Ｓ２２７、Ｂ信号Ｓ２２８を得る。Ｄ／Ａ変換器２１８、２１９、２２０はそれぞれ、Ｒ信号Ｓ２２６、Ｇ信号Ｓ２２７、Ｂ信号Ｓ２２８をディジタル信号からアナログ信号に変換して、Ｒ出力信号Ｓ２２９を出力端子２２１から、Ｇ出力信号Ｓ２３０を出力端子２２２から、Ｂ出力信号Ｓ２３１を出力端子２２３から出力する。
【００４６】
図６は主画面用色差信号と副画面用色差信号とが時分割多重されてＡ／Ｄ変換器に入力される場合の一例を示すタイミング図である。図６において、Ｓ２１６は主副切換信号、Ｓ２１５は色差信号多重用切換信号、Ｓ２０３は主画面用のＵ信号入力、Ｓ２０４は主画面用のＶ信号入力、Ｓ２０５は副画面用のＵ信号出力、Ｓ２０６は副画面用のＶ信号出力、Ｓ２０９は時分割多重された映像信号、Ｓ２１０はＡ／Ｄ変換されたディジタルの映像信号、Ｓ２１１は分離された主画面用Ｕ信号、Ｓ２１２は分離された主画面用Ｖ信号、Ｓ２１３は分離された副画面用Ｕ信号、Ｓ２１４は分離された副画面用のＶ信号のタイミング図をそれぞれ表している。図中のＸ印、丸、三角及び四角はサンプリング地点を表しており、Ｍ−Ｕは主画面用映像信号のＵ信号を、Ｍ−Ｖは主画面用映像信号のＶ信号を、Ｓ−Ｕは副画面用映像信号のＵ信号出力を表し、Ｓ−Ｖは副画面用映像信号のＶ信号出力を表し、Ｕ及びＶの後ろの番号はサンプリング地点の番号を示している。副画面用のＵ信号出力Ｓ２０５と、副画面用のＶ信号出力Ｓ２０６とはひとつのＡ／Ｄ変換器１１２によりサンプリングを行うため、サンプリング地点がずれている。
【００４７】
以上のように構成された映像信号処理装置において以下その動作について説明する。副画面用信号処理回路１４６については、前記実施の形態１において説明したものと同様の回路構成のため、その動作の説明は省略する。
【００４８】
入力端子２０１から主画面用輝度信号Ｓ２０１が入力され、入力端子２０２から副画面用輝度出力信号Ｓ２０２が入力され、切換回路２０７において、主副切換信号Ｓ２１６のＨｉｇｈ期間に副画面映像信号が入力されているとすると、副画面映像信号が入力されている場合は副画面用輝度出力信号Ｓ２０２が、副画面信号が入力されていない場合は主画面用輝度信号Ｓ２０１が合成輝度信号Ｓ２０７として出力される。合成輝度信号Ｓ２０７はＡ／Ｄ変換器２０９によりアナログ信号からディジタル信号の合成輝度信号Ｓ２０８へ変換され、同期分離回路２２４と画質調整回路２１３と、主副切換回路２１４とに入力される。同期分離回路２２４では合成映像信号Ｓ２０８の水平及び垂直同期信号を分離し、主画面入力信号に同期した水平・垂直基準パルスＳ２３２と水平・垂直基準パルスＳ１４６とを生成し、水平・垂直基準パルスＳ２３２をボーダー挿入回路２１７に出力し、また水平・垂直基準パルスＳ１４６を出力端子２２５から副画面用信号処理回路１４６に出力する。
【００４９】
入力端子２０３から入力された主画面用Ｕ信号Ｓ２０３、入力端子２０４から入力された主画面用Ｖ信号Ｓ２０４、入力端子２０５から入力された副画面用Ｕ出力信号Ｓ１４０、入力端子２０６から入力された副画面用Ｖ出力信号Ｓ１４１は切換回路２０８に入力される。時分割多重制御回路２１２は主副切換信号Ｓ１４２に基づいて図６に示すような多重切換信号Ｓ２１５を生成する。切換回路２０８は、多重切換信号Ｓ２１５が0の時、主画面Ｕ信号Ｓ２０３を選択し、１の時主画面Ｖ信号Ｓ２０４を選択し、多重切換信号Ｓ２１５が２の時副画面用Ｕ出力信号Ｓ２０５を選択し、多重切換信号Ｓ１１３が３の時副画面用Ｖ出力信号Ｓ２０６を選択してアナログ信号である合成映像信号Ｓ２０９を得る。合成映像信号Ｓ２０９はＡ／Ｄ変換器２１０によりアナログ信号からディジタル信号の合成色差信号Ｓ２１０に変換される。分割回路２１１が合成映像信号Ｓ２１０を主画面用のＵ信号Ｓ２１１、主画面用のＶ信号Ｓ２１２、副画面用のＵ信号Ｓ２１３、副画面用Ｖ信号Ｓ２１４に分離する。主画面用Ｕ信号Ｓ２１１と主画面用Ｖ信号Ｓ２１２とは画質調整回路２１３に入力される。画質調整回路２１３では合成輝度信号Ｓ２０８、主画面用Ｕ信号Ｓ２１１、及び主画面用Ｖ信号Ｓ２１２に対して、画質調整用のディジタル処理を行う。ディジタル処理の一例としては輪郭部を強調する輪郭補正などがある。これにより画質を調整された輝度信号Ｓ２１７、Ｕ信号Ｓ２１８、Ｖ信号Ｓ２１９が得られる。主副切換回路２１４は主副切換信号Ｓ２１６に基づいて輝度信号Ｓ２１７のうちの主画面用の輝度信号、主画面用のＵ信号Ｓ２１８、及びＶ信号Ｓ２１９と、合成輝度信号Ｓ２０８のうちの副画面用の輝度信号、副画面用Ｕ信号Ｓ２１３、Ｖ信号Ｓ２１４とを切り換え、主画面用信号の中に副画面用信号が挿入された輝度信号Ｓ２２０、Ｕ信号Ｓ２２１、Ｖ信号Ｓ２２２を得る。輝度信号Ｓ２２０、Ｕ信号Ｓ２２１、Ｖ信号Ｓ２２２は、ＲＧＢマトリクス回路２１５により、ＲＧＢ信号に変換され、Ｒ信号Ｓ２２３、Ｇ信号Ｓ２２４、Ｂ信号Ｓ２２５が得られる。ここで、主画面映像信号と副画面映像信号の境界部分では、画面の上下間または左右間では副画面が切換により挿入されるため相関が無くなる。主画面用の画質調整回路２１３においてライン間の相関をみて輪郭補正をしたり、水平方向の輪郭補正を行なっていたとすると、主画面映像信号と副画面映像信号との相関が無いため、誤演算を起こす可能性がある。このため、ボーダー挿入回路２１７において、水平・垂直同期基準パルスＳ２３２に基づいて、主画面と副画面との境界部分にボーダーラインを挿入することにより境界部分の演算誤差による画像の乱れをなくしたＲ信号Ｓ２２６、Ｇ信号Ｓ２２７、Ｂ信号Ｓ２２８を得る。これらのＲ信号Ｓ２２６、Ｇ信号Ｓ２２７、Ｂ信号Ｓ２２８をＤ／Ａ変換器２１８、２１９、２２０によりディジタル信号からアナログ信号に変換し、Ｒ出力信号Ｓ２２９を出力端子２２１から、Ｇ出力信号Ｓ２３０を出力端子２２２から、Ｂ出力信号Ｓ２３１を出力端子２２３から出力される。
【００５０】
以上のように、本実施の形態３においては、上記実施の形態１において入力信号をコンポジット映像信号から、コンポーネント映像信号とすることにより、上記実施の形態１と同様の効果を奏する。
【００５１】
なお、上記実施の形態３においては、主副切換装置２１４が、副画面用の輝度信号を、Ａ／Ｄ変換器２０９の出力する合成輝度信号Ｓ２０９から取り出すようにしたが、本発明においては、Ａ／Ｄ変換器２０９の出力する合成輝度信号Ｓ２０９を主副切換装置２１４に直接入力しないようにし、副画面用の輝度信号を、主副切換装置２１４が画質調整回路２１３の出力する輝度信号Ｓ２１３から取り出すようにしてもよい。このような場合においては、副画面用の輝度信号として、画質調整のディジタル処理を行った輝度信号を用いることが可能となり、より高画質な画像の得られる映像信号処理装置が提供できる。
【００５２】
なお、上記各実施の形態においては、副画面がひとつである場合について説明したが、本発明においては複数の副画面をひとつの主画面内に表示する場合においても適用できるものであり、このような場合においても、上記各実施の形態と同様の効果を奏する。
【００５３】
【発明の効果】
以上のようにこの発明によれば、副画面用の映像信号を入力とし、該映像信号に対して、表示領域を縮小するための縮小処理を行い、該縮小処理した副画面用映像信号を出力する副画面処理用集積回路と、主画面用の映像信号と、前記副画面処理用集積回路が出力する副画面用映像信号とを入力として、主画面の表示領域では主画面用映像信号を選択し、前記表示領域を縮小した副画面の表示領域では、前記縮小処理した副画面用映像信号を選択して出力する切換手段、前記切換手段が出力する映像信号をディジタル映像信号に変換するアナログディジタル変換手段、及び該アナログディジタル変換手段の出力するディジタル映像信号に対してディジタル信号処理を行うディジタル信号処理手段を備えた主画面処理用集積回路とを備えるようにしたから、副画面処理用集積回路が出力する副画面用映像信号を主画面処理用集積回路の入力として、主画面用映像信号と副画面用映像信号とをひとつの画面内に表示できるよう合成するとともに、必要な端子数を最小限に抑えながらディジタル回路化することで回路規模を小さくでき、回路規模の縮小化を図ることができる、主画面用映像信号を信号処理する集積回路と副画面用映像信号を信号処理する集積回路とを備えた映像信号処理装置を提供できる効果がある。
【００５４】
また、この発明によれば、前記ディジタル信号処理手段と、前記ディジタルアナログ変換手段との間に、前記ディジタル信号処理手段の出力に対し、前記主画面と副画面との境界に所定幅の境界線を挿入する処理を行うボーダー挿入手段を備えるようにしたから、主画面と副画面との境界部分における主画面映像信号の演算誤差による画像の乱れを無くして画質劣化が防ぐことができる映像信号処理装置を提供できる効果がある。
【００５５】
また、この発明によれば、前記副画面処理用集積回路が、前記副画面映像信号を副画面輝度信号と副画面色差信号とに分離する副画面YC分離手段と、該副画面YC分離手段により分離された副画面色差信号を副画面輝度信号に対して遅延させる遅延差制御手段とを備えるようにしたから、主画面と副画面との切り換わりで基準ラインのずれを無くすことができる映像信号処理装置を提供できる効果がある。
【００５６】
また、この発明によれば、前記主画面処理用集積回路は、前記アナログディジタル変換手段とディジタル信号処理手段との間に、ラインメモリを用いて、前記アナログディジタル変換手段から出力される処理対象となるラインの前後の１ラインの映像データから、演算により該対象となるラインの映像データのYC分離処理を行うYC分離手段を備え、前記遅延差制御手段が、前記副画面色差信号を前記副画面輝度信号に対して１ライン期間遅延させて出力するようにしたから、主画面と副画面との切り換わりで基準ラインのずれを無くすことができる映像信号処理装置を提供できる効果がある。
【００５７】
また、この発明によれば、副画面用の映像信号を入力とし、該映像信号に対して、表示領域を縮小するための縮小処理を行い、該縮小処理した副画面用映像信号を出力する副画面処理用集積回路と、主画面用の映像信号と、前記副画面処理用集積回路が出力する副画面用映像信号とを入力として、主画面の表示領域では主画面用映像信号を選択し、前記表示領域を縮小した副画面の表示領域では、前記縮小処理した副画面用映像信号を選択して出力する切換手段、及び該切換手段の出力に対し、前記主画面と副画面との境界に所定幅の境界線を挿入する処理を行うボーダー挿入手段を備えた主画面処理用集積回路とを備えるようにしたから、主画面と副画面との境界部分における主画面映像信号の演算誤差による画像の乱れを無くして画質劣化が防ぐことができる映像信号処理装置を提供できる効果がある。
【図面の簡単な説明】
【図１】本発明の実施の形態１に係る映像信号処理装置の構成を示すブロック図
【図２】本発明の実施の形態３に係る映像信号処理装置の構成を示すブロック図
【図３】本発明の実施の形態１に係る映像信号処理装置による時分割多重処理前後の輝度信号のタイミング図
【図４】本発明の実施の形態１に係る映像信号処理装置による時分割多重処理前後の色信号のタイミング図
【図５】本発明の実施の形態１に係る映像信号処理装置を説明するための、主画面と副画面との境界部分の入力波形を示す映像信号波形図
【図６】本発明の実施の形態３に係る映像信号処理装置による時分割多重処理前後の色信号のタイミング図
【図７】従来の映像信号処理装置の構成を示すブロック図
【図８】本発明の実施の形態２に係る映像信号処理装置の構成を示すブロック図
【符号の説明】
１０１  入力端子
１０２  入力端子
１０３  切換回路
１０４  Ａ／Ｄ変換器
１０５  ＹＣ分離回路
１０６  切換回路
１０７  色復調回路
１０８  入力端子
１０９  入力端子
１１０  入力端子
１１１  切換回路
１１２  Ａ／Ｄ変換器
１１３  分割回路
１１４  時分割多重制御回路
１１５  画質調整回路
１１６  主副切換回路
１１７  ＲＧＢマトリクス回路
１１８  入力端子
１１９  入力端子
１２０  Ａ／Ｄ変換器
１２１  ＹＣ分離回路
１２２  色復調回路
１２３  水平垂直フィルタ
１２４  メモリ
１２５  メモリ制御回路
１２６  ＹＵＶ遅延差制御回路
１２７  Ｄ／Ａ変換器
１２８  Ｄ／Ａ変換器
１２９  Ｄ／Ａ変換器
１３０  同期分離回路
１３１  出力端子
１３２  入力端子
１３３  同期分離回路
１３４  ボーダー挿入回路
１３５  Ｄ／Ａ変換器
１３６  Ｄ／Ａ変換器
１３７  Ｄ／Ａ変換器
１３８  出力端子
１３９  出力端子
１４０  出力端子
１４１  切換信号発生回路
１４２  出力端子
１４３  出力端子
１４４  出力端子
１４５  出力端子
１４６  副画面用信号処理回路
１４７  主画面用信号処理回路
２０１  入力端子
２０２  入力端子
２０３  入力端子
２０４  入力端子
２０５  入力端子
２０６  入力端子
２０７  切換回路
２０８  切換回路
２０９  Ａ／Ｄ変換器
２１０  Ａ／Ｄ事変器
２１１  分割回路
２１２  時分割多重制御回路
２１３  画質調整回路
２１４  主副切換回路
２１５  ＲＧＢマトリクス回路
２１６  入力端子
２１７  ボーダー挿入回路
２１８  Ｄ／Ａ変換器
２１９  Ｄ／Ａ変換器
２２０  Ｄ／Ａ変換器
２２１  出力端子
２２２  出力端子
２２３  出力端子
【図１】
0004659283.tif 000002
【図２】
0004659283.tif 000003
【図３】
0004659283.tif 000004
【図４】
0004659283.tif 000005
【図５】
0004659283.tif 000006
【図６】
0004659283.tif 000007
【図７】
0004659283.tif 000008
【図８】
0004659283.tif 000009